(57)【特許請求の範囲】
【請求項１】
表示意匠として凸部が目視側前面に形成された意匠板と、
前記意匠板の前記前面に配置されると共に該意匠板を加飾する加飾部とを備え、
前記加飾部は、前記凸部の側面の少なくとも一部を溝部を介して囲繞するように形成され、
前記加飾部の少なくとも該凸部の近傍における目視側前面は、前記凸部の上面と前記溝部の底面の少なくとも一方と異なる傾斜を有するように形成されていることを特徴とする計器用表示板。
【請求項２】
前記加飾部の前記前面と前記凸部の上面と前記溝部の底面の少なくともいずれかは、前記意匠板の前記前面と異なる傾斜を有するように形成されていることを特徴とする請求項１に記載の計器用表示板。
【請求項３】
前記溝部は、前記凸部の前記側面と該凸部の該側面を囲繞する前記加飾部の側面と前記溝部の前記底面とから構成されることを特徴とする請求項１または請求項２に記載の計器用表示板。
【請求項４】
前記意匠板と前記加飾部は、樹脂材料から一体的に形成されることを特徴とする請求項１ないし請求項３のいずれか一項に記載の計器用表示板。
【請求項５】
前記凸部の上面が、前記加飾部の前面と異なる色調で視認されるように構成されていることを特徴とする請求項１ないし請求項４のいずれか一項に記載の計器用表示板。
【請求項６】
前記表示意匠は、目盛と文字の少なくとも一方であることを特徴とする請求項１ないし請求項５のいずれか一項に記載の計器用表示板。
【請求項７】
透光性を有する基板を備え、
前記意匠板は、透光性を有すると共に前記基板の前面に配置され、
前記意匠板の前記前面とは反対側の裏面と前記基板の前記前面と該基板の裏面のいずれかに形成された表示層を備えることを特徴とする請求項１ないし請求項６のいずれか一項に記載の計器用表示板。
【請求項８】
前記表示層は、前記意匠板の前面側から該意匠板と異なる色調で視認されるように構成されていることを特徴とする請求項７に記載の計器用表示板。
【請求項９】
前記表示層は、前記凸部の背後近傍に形成されていることを特徴とする請求項７または請求項８に記載の計器用表示板。
【請求項１０】
不透光性の基板を備え、
前記意匠板は、透光性を有すると共に前記基板の前面に配置され、
前記意匠板の前記前面とは反対側の裏面と前記基板の前記前面の一方に形成された表示層を備えることを特徴とする請求項１ないし請求項６のいずれか一項に記載の計器用表示板。
【請求項１１】
前記表示層は、前記意匠板と異なる色調を有することを特徴とする請求項１０に記載の計器用表示板。
【請求項１２】
前記表示層は、前記凸部の背後近傍に形成されていることを特徴とする請求項１０または請求項１１に記載の計器用表示板。
【請求項１３】
請求項７ないし請求項９のいずれか一項に記載の計器用表示板を備えた指針計器であって、
前記表示層は、透光性を有し、
前記基板の前記前面に沿って回動する指針と、
前記基板の背後に配置されると共に該基板と前記表示層と前記意匠板とを透過照明する光源とを備えることを特徴とする指針計器。
【請求項１４】
前記意匠板と前記加飾部は、前記指針の先端が回動する方向へ沿ってリング状に形成され、
前記凸部は、前記方向へ沿って環状に配置されることを特徴とする請求項１３に記載の指針計器。
【発明の詳細な説明】
【技術分野】
【０００１】
本発明は、表示意匠として凸部が前面に形成された計器用表示板およびそれを備えた指針計器に関するものである。
【背景技術】
【０００２】
近年、自動車に装備される車両用指針計器において、その見映えを高めるため、様々な方法が採られている。
【０００３】
例えば、文字盤と、その前面に沿って回動する指針と、文字盤の背後に配置された光源と、文字盤の前面であって指針が回動する範囲の外周近傍でリング状に形成された透光性部材とを備えた指針計器が開示されている（特許文献１を参照）。
【０００４】
これは、光源からの光を透光性部材に導いてこれを発光表示させることによって、指針が回動する範囲の外周側を照明表示するものである。これにより、その見映えを高めるものである。この場合、計器用表示板は、文字盤と透光性部材とから構成される。
【０００５】
特許文献１では、透光性部材の前面に、凸部を目盛（表示意匠）として形成することが開示されている（特許文献１の図６を参照）。
【０００６】
また、文字盤の前面に凸部を文字（表示意匠）として形成し、且つこの凸部の前面に表示層を形成することが開示されている（特許文献２を参照）。これは、計器用表示板に立体感を持たせ、その見映えを高めるものである。この場合、文字盤が計器用表示板である。
【特許文献１】特開２００２−１９５８５６号公報
【特許文献２】特開２０００−２９２２１４号公報
【発明の開示】
【発明が解決しようとする課題】
【０００７】
しかし、特許文献１では、凸部に関する具体的な記述がなく、特許文献２では、表示層が凸部の前面に形成されている単純なものである。このため、これらの凸部は、計器用表示板に単純な立体感を持たせることができても、凸部の背景との区別が鮮明とは言い難く、文字や目盛としての視認性が悪い。
【０００８】
本発明は、上記問題点に鑑みてなされたものであり、表示意匠として視認性の優れた凸部が目視側前面に形成された計器用表示板とこれを備えた指針計器を提供することを目的とする。
【課題を解決するための手段】
【０００９】
本発明は上記目的を達成するため、以下の技術的手段を採用する。
【００１０】
請求項１に記載の計器用表示板は、表示意匠として凸部が目視側前面に形成された意匠板と、意匠板の前面に配置されると共に意匠板を加飾する加飾部とを備え、加飾部が、凸部の側面の少なくとも一部を溝部を介して囲繞するように形成され、加飾部の少なくとも凸部の近傍における目視側前面が、凸部の上面と溝部の底面の少なくとも一方と異なる傾斜を有するように形成されている構成とする。
【００１１】
この構成では、加飾部が、表示意匠として形成された凸部の側面の少なくとも一部を溝部を介して囲繞するように形成され、加飾部の少なくとも凸部の近傍における目視側前面が、凸部の上面と溝部の底面の少なくとも一方と異なる傾斜を有するように形成されている。これにより、凸部とその背景との区別が鮮明となり、表示意匠として視認性の優れた凸部が前面に形成された計器用表示板を提供することができる。
【００１２】
請求項２に記載の計器用表示板は、加飾部の前面と凸部の上面と溝部の底面の少なくともいずれかが、意匠板の前面と異なる傾斜を有するように形成されている構成とする。
【００１３】
この構成では、加飾部の前面と凸部の上面と溝部の底面の少なくともいずれかが、意匠板の前面と異なる傾斜を有するため、上述の効果をより高めることができる。
【００１４】
請求項３に記載の計器用表示板は、溝部が、凸部の側面と凸部の側面を囲繞する加飾部の側面と溝部の底面とから構成される構成とする。
【００１５】
この構成では、溝部が、凸部の側面と凸部の側面を囲繞する加飾部の側面と溝部の底面とから構成されるため、簡易な構成で上述の効果を得ることができる。
【００１６】
請求項４に記載の計器用表示板は、意匠板と加飾部が、樹脂材料から一体的に形成される構成とする。
【００１７】
この構成では、意匠板と加飾部が、樹脂材料から一体的に形成されるため、より簡易な構成で上述の効果を得ることができる。
【００１８】
請求項５に記載の計器用表示板は、凸部の上面が、加飾部の前面と異なる色調で視認されるように構成されている構成とする。
【００１９】
この構成では、凸部の上面が、加飾部の前面と異なる色調で視認されるように構成されているため、上述の効果をより高めることができると共に、加飾部による加飾性を高めることができる。
【００２０】
請求項６に記載の計器用表示板は、表示意匠が、目盛と文字の少なくとも一方である構成とする。
【００２１】
この構成でも、上述の効果を得ることができる。
【００２２】
請求項７に記載の計器用表示板は、透光性を有する基板を備え、意匠板が、透光性を有すると共に基板の前面に配置され、意匠板の裏面と基板の前面と基板の裏面のいずれかに形成された表示層を備える構成とする。
【００２３】
この構成では、表示層が透光性を有する意匠板の裏面と透光性を有する基板の前面とその裏面のいずれかに形成されるため、凸部の視認性を優れたものとすることができるという上述の効果に加えて、凸部による立体感と凸部に対する表示層の奥行き感のコンビネーションにより、計器用表示板に斬新な立体感を持たせることができる。
【００２４】
請求項８に記載の計器用表示板は、表示層が、意匠板の前面側から意匠板と異なる色調で視認されるように構成されている構成とする。
【００２５】
この構成では、表示層が意匠板の前面側から透光性部材と異なる色調で視認されるように構成されているため、凸部の視認性を優れたものとすることができるという上述の効果に加えて、斬新な立体感をより高めることができる。
【００２６】
請求項９に記載の計器用表示板は、表示層が、凸部の背後近傍に形成されている構成とする。
【００２７】
この構成では、表示層が、凸部の背後近傍に形成されているため、凸部による立体感と表示層による奥行き感が重なり、凸部の視認性を優れたものとすることができるという上述の効果に加えて、斬新な立体感をさらに高めることができる。
【００２８】
請求項１０に記載の計器用表示板は、不透光性の基板を備え、意匠板が、透光性を有すると共に基板の前面に配置され、意匠板の裏面と基板の前面の一方に形成された表示層を備える構成とする。
【００２９】
この構成では、表示層が透光性を有する意匠板の裏面と不透光性の基板の前面の一方に形成されるため、計器用表示板に、凸部による立体感に加えて、凸部に対する表示層の奥行き感を持たせることができる。これにより、凸部の視認性を優れたものとすることができるという上述の効果に加えて、計器用表示板に斬新な立体感を持たせることができる。
【００３０】
請求項１１に記載の計器用表示板は、表示層が、意匠板と異なる色調を有する構成とする。
【００３１】
この構成では、表示層が意匠板と異なる色調を有するため、凸部の視認性を優れたものとすることができるという上述の効果に加えて、斬新な立体感をより高めることができる。
【００３２】
請求項１２に記載の計器用表示板は、表示層が、凸部の背後近傍に形成されている構成とする。
【００３３】
この構成では、表示層が、凸部の背後近傍に形成されているため、凸部による立体感と表示層による奥行き感が重なり、これにより、凸部の視認性を優れたものとすることができるという上述の効果に加えて、斬新な立体感をさらに高めることができる。
【００３４】
請求項１３に記載の指針計器は、請求項７ないし請求項９のいずれか一項に記載の計器用表示板を備えた指針計器であって、表示層が、透光性を有し、基板の前面に沿って回動する指針と、基板の背後に配置されると共に基板と表示層と意匠板とを透過照明する光源とを備える構成とする。
【００３５】
この構成では、表示層が透光性を有し、基板と表示層と意匠板とを透過照明する光源が、基板の背後に配置される。これにより、光源の発する光が、表示層と凸部とを透過照明する。この結果、凸部の視認性を優れたものとすることができるという上述の効果と斬新な立体感を高めることができるという効果の両方を、さらに高めることができる。
【００３６】
請求項１４に記載の指針計器は、意匠板と加飾部が、指針の先端が回動する方向へ沿ってリング状に形成され、凸部が、指針の先端が回動する方向へ沿って環状に配置される構成とする。
【００３７】
この構成では、意匠板と加飾部が、指針の先端が回動する方向へ沿ってリング状に形成され、凸部が、指針の先端が回動する方向へ沿って環状に配置される。これにより、凸部の視認性を優れたものとすることができるという上述の効果に加えて、斬新な立体感をさらに高めることができる。
【発明を実施するための最良の形態】
【００３８】
以下、本発明による指針計器を、自動車に搭載されるコンビネーションメータ１に適用した場合を例に図面に基づいて説明する。
【００３９】
（第１実施形態）
図１は、本発明の第１実施形態による指針計器であるコンビネーションメータ１の正面図である。
【００４０】
図２は、図１中のＩＩ−ＩＩ線断面図である。
【００４１】
図３（ａ）は、図２中のＩＩＩ部における意匠リング３の拡大断面図であり、図３（ｂ）は、図２中のＩＩＩ部における基板２０の拡大断面図である。
【００４２】
図４は、本発明の第１実施形態によるコンビネーションメータ１の電気回路構成を説明する回路構成図である。
【００４３】
指針計器であるコンビネーションメータ１は、自動車の運転席前方に配置されて当該自動車に関する各種情報を表示する。
【００４４】
本発明の第１実施形態によるコンビネーションメータ１は、図１に示すように、走行速度を表示する速度計を構成する。速度計は、走行速度を表示して運転者に視認させるための文字盤２と指針４とを備える。文字盤２は、透光性を有する材料、例えば無色透明なポリカーボネート樹脂等の板材から形成された基板２０等から構成されるものであり、指針４は、文字盤２（基板２０）の目視側前面（図２の矢印が示す上側の面）に沿って回動するものである。
【００４５】
意匠板である透光性リング３１と透光性リング３１を加飾する加飾部である加飾リング３２とから構成される意匠リング３は、文字盤２を加飾するものであり、指針４の先端が回動する方向へ沿ってリング状に形成される。透光性リング３１は、例えば無色透明なアクリル樹脂から形成されている。加飾リング３２は、透光性リング３１と異なる色調（明度、色相、彩度）である例えば黒色の不透光性樹脂から形成され、これにより、加飾リング３２の加飾性が高められる。
【００４６】
凸部３１ａは、表示意匠である目盛として透光性リング３１の前面３１ｃに一体に形成され、凸部３１ａが緩く嵌る嵌入部３２ｂは、加飾リング３２の内周側に切り欠き部として設けられる。
透光性リング３１は、図３（ａ）に示すように、その横断面が凸部３１ａを除いて略四角形となるように形成される。加飾リング３２は、図３（ａ）に示すように、その横断面が嵌入部３２ｂを除いて直角三角形に近似した台形となるように形成され、嵌入部３２ｂの断面が略直角三角形となるように形成される。
【００４７】
加飾リング３２は、透光性リング３１に対して図２と図３に示すように組みつけられた際に、凸部３１ａの３側面を溝部である外周溝３３を介して囲繞するように形成される。外周溝３３は、凸部３１ａの３側面と、凸部３１ａの３側面を囲繞する加飾部の側面である嵌入部３２ｂの３つの内側面と、外周溝３３の底面３３ａとから構成される。これにより、外周溝３３は、凸部３１ａの縁取りの機能を果たすため、凸部３１ａを、その背景から鮮明に区別できる。
【００４８】
尚、加飾リング３２の第１前面３２ｃと第２前面３２ｄの内、加飾リング３２の凸部３１ａの近傍における目視側前面である第１前面３２ｃが、透光性リング３１の前面３１ｃと異なる傾斜を有するように形成する。
【００４９】
また、外周溝３３の底面３３ａは、図３（ａ）に示すように、透光性リング３１の前面３１ｃの一部であり、このため、これらは、同じ傾斜を有する。凸部３１ａの上面３１ｂも、透光性リング３１の前面３１ｃと同じ傾斜を有するように形成する。
【００５０】
これらの結果、加飾リング３２の第１前面３２ｃは、凸部３１ａの上面３１ｂと外周溝３３の底面３３ａの両方と異なる傾斜を有するように形成される。これにより、凸部３１ａの視認性にアクセントがつけられ、上述した外周溝３３の効果と相俟って、凸部３１ａを、その背景からより鮮明に区別できる。即ち、凸部３１ａを、表示意匠として視認性の優れたものとすることができる。
【００５１】
透光性リング３１と加飾リング３２は、２種類の異なる材料を成形加工する２色成形等で一体的に形成される。その後、例えば白色で透光性を有する第２表示層３１ｄが、表示意匠である文字として透光性リング３１の前面３１ｃに形成され、例えば白色で不透光性の第３表示層３２ａが、目盛としての凸部３１ａを補完する表示意匠である補完目盛として加飾リング３２の第１前面３２ｃに形成される。
【００５２】
表示層である例えば緑色で透光性を有する第１表示層２１が、図２と図３で示すように、基板２０（文字盤２）の前面（図中の矢印が示す上側の面）であって凸部３１ａの背後近傍に形成される。尚、例えば赤色で透光性を有する第１表示層２１を、図１において、例えば文字「１２０」と文字「１６０」の間の第２表示層３１ｄに対応する凸部３１ａの背後近傍に形成する。
【００５３】
また、例えば灰色であってつや消しの不透光性（または、つや消しの透光性が低いもの）の背景層２２を、第１表示層２１の背景として文字盤２（基板２０）の前面に開口部２２ａを設けて形成する。開口部２２ａは、第１表示層２１の背後近傍に設けられる。
【００５４】
意匠リング３（透光性リング３１と加飾リング３２）は、文字盤２（基板２０）に対して接着や引っかけ等でその前面に固定され、計器用表示板は、意匠リング３（透光性リング３１と加飾リング３２）と文字盤２（基板２０）とから構成される。また、文字盤２は、基板２０と第１表示層２１と背景層２２とから構成される。
【００５５】
表示層２１、３１ｄ、３２ａと背景層２２を、印刷あるいはホットスタンプ等を施して形成するが、これらの形成法の適用が困難な部位に対しては、インクジェットデジタル印刷にて形成する。
【００５６】
文字盤２には、図２に示すように、後述するムーブメント５のシャフト５１を挿通させるための貫通孔２３が設けられ、文字盤２の背後（図２の矢印が示す下側）には、ムーブメント５、発光ダイオード６、光源である発光ダイオード７、支持部８、導光部材９、ケース４０およびプリント基板１０が配置される。プリント基板１０は、速度計の電気回路部を形成するものであり、ムーブメント５と発光ダイオード６、７は、プリント基板１０に実装される。
【００５７】
ムーブメント５は、例えば交差コイル式アクチュエータ、あるいはステッピングモータ等から構成され、外部からの電気信号（本実施形態においては車速信号）に対応した角度だけシャフト５１を回動させるものである。シャフト５１は、文字盤２の貫通孔２３を通して表面側、つまり図２の矢印が示す上側へ延出し、その先端に指針４が固定される。
【００５８】
文字盤２の支持部８の内側は、発光ダイオード６からの例えば白色光を指針４へ導く照明室を形成している。
【００５９】
発光ダイオード７からの例えば白色光は導光部材９へ導かれ、導光部材９から出射した光は文字盤２と透光性リング３１へ導かれる。なお、導光部材９はケース４０に支持されている。また、支持部８およびケース４０はその内外面は白色であるので、発光ダイオード６の光は支持部８の内周面で反射して指針４の方向に導かれ、また、発光ダイオード７の光は支持部８の外周面、ケース４０の内周面で反射して導光部材９に導かれる。
【００６０】
指針４は、アクリル樹脂等の透光性材料により形成されてその指針４の前面には赤色層を有しており、指針４内に入射した発光ダイオード６の白色光によって、赤色で発光表示されるように構成される。
【００６１】
以上説明した本実施形態によるコンビネーションメータ１の電気回路構成について、図４に基づいて説明する。
【００６２】
マイクロコンピュータ等から構成される制御装置１１には、バッテリ１４から電力が常時供給され、イグニッションスイッチ１３がその操作ポジション（オフポジション、オンポジション）を検出可能に接続される。また、制御装置１１には当該自動車の走行速度を検出する車速センサ１２がその信号を入力可能に接続される。
【００６３】
また、車速センサ１２からの検出信号に応じて制御装置１１によって駆動されるムーブメント５、発光ダイオード６、７も、制御装置１１に接続される。
【００６４】
以下に、上記構成において、本実施形態によるコンビネーションメータ１の作動を説明する。
【００６５】
運転者によってイグニッションスイッチ１３がオンされると、図４において、制御装置１１は、それを検出して作動を開始し、発光ダイオード６、７を点灯させると共に、ムーブメント５を駆動する。即ち、制御装置１１は、速度センサ１２からの出力信号に基づき、当該自動車の車速を算出し、これに対応した角度だけシャフト５１を回動させるように、ムーブメント５を駆動する。
【００６６】
点灯された発光ダイオード６の白色光は、図２において、支持部８により導かれ、指針４を赤色で発光表示させる。
【００６７】
一方、点灯された発光ダイオード７の白色光は、図２中の矢印Ｐ１、Ｐ２の光路に従って、導光部材９に導かれて文字盤２と透光性リング３１とを透過照明する。具体的に、矢印Ｐ２の光路の白色光は、図３（ｂ）に示す文字盤２に形成された背景層２２の開口部２２ａを透過して白色で透光性の第２表示層３１ｄを透過照明する。これにより、図１に示す白色の第２表示層３１ｄが、図３（ｂ）に示す灰色の背景層２２を背景として、図３（ａ）に示す透光性リング３１の板厚分だけ奥行き感（立体感）をもって視認される。
【００６８】
矢印Ｐ１の光路の白色光は、図３（ｂ）に示す文字盤２を透過してその白色で透光性の第１表示層２１と透光性リング３１の凸部３１ａとを透過照明する。これにより、図１に示す凸部３１ａと、その背後の図３（ｂ）に示す白色の第１表示層２１とが、灰色の背景層２２を背景として、図３（ａ）に示す透光性リング３１と凸部３１ａが加算された板厚分だけ奥行き感（立体感）をもって重なって視認される。
【００６９】
これにより、第１表示層２１、凸部３１ａ、第２表示層３１ｄおよび背景層２２の奥行き方向（図２の矢印が示す上下方向）の位置の差と色調差（明度差、色相差、彩度差）とのコンビネーションによって、文字盤２と意匠リング３から構成される計器用表示板に斬新な立体感を持たせることができる。
【００７０】
上述したように、加飾リング３２が、凸部３１ａの３側面を溝部である外周溝３３を介して囲繞するように、且つ、第１前面３２ｃが凸部３１ａの上面３１ｂと外周溝３３の底面３３ａの両方と異なる傾斜を有するように形成される。これにより、凸部３１ａを、その背景からより鮮明に区別できる。即ち、凸部３１ａを、表示意匠として視認性の優れたものとすることができる。これに加えて、計器用表示板に斬新な立体感を持たせることができる。
【００７１】
以上説明した本発明の第１実施形態による指針計器であるコンビネーションメータ１では、文字盤２と意匠リング３から構成される計器用表示板は、表示意匠として凸部３１ａが前面３１ｃに形成された意匠板である透光性リング３１と、透光性リング３１の前面３１ｃに配置されると共に透光性リング３１を加飾する加飾部である加飾リング３２とを備え、加飾リング３２が、凸部３１ａの側面の少なくとも一部を溝部である外周溝３３を介して囲繞するように形成され、加飾リング３２の少なくとも凸部３１ａの近傍における前面である第１前面３２ｃが、凸部３１ａの上面３１ｂと外周溝３３の底面３３ａの少なくとも一方と異なる傾斜を有するように形成されている。
【００７２】
これにより、表示意匠として視認性の優れた凸部３１ａが前面３１ｃに形成されたコンビネーションメータ１を提供することができる。
【００７３】
図５（ａ）は、図３（ａ）の第１変形例を示す拡大断面図であり、図５（ｂ）は、図３（ａ）の第２変形例を示す拡大断面図である。
【００７４】
加飾リング３２は、第１前面３２ｃが凸部３１ａの上面３１ｂと外周溝３３の底面３３ａの両方と異なる傾斜を有するように形成される必要はない。図５（ａ）に示すように、外周溝３３の底面３３ａのみと異なる傾斜を有するように形成することができ、図５（ｂ）に示すように、凸部３１ａの上面３１ｂのみと異なる傾斜を有するように形成することもできる。これによっても、凸部３１ａを、その背景から鮮明に区別でき、凸部３１ａを、表示意匠として視認性の優れたものとすることができる。
【００７５】
図５（ｂ）の例では、透光性リング３１と加飾リング３２とを、同じ透明樹脂材料から一体的に形成し、例えば黒色で不透光性の加飾層３２ｅを、加飾リング３２に対応する部位の前面３２ｃ、３２ｄに形成する。
【００７６】
尚、第１表示層２１を、基板２０の代わりに凸部３１ａの上面３１ｂに形成してもよい。この場合は、凸部３１ａの視認性がさらに向上する。
【００７７】
（第２実施形態）
図６は、本発明の第２実施形態による指針計器であるコンビネーションメータ１の正面図である。
【００７８】
図７（ａ）は、図６中のＶＩＩ−ＶＩＩ線断面における意匠リング３の拡大断面図であり、図７（ｂ）は、図７（ａ）の変形例を示す拡大断面図である。
【００７９】
本発明の第２実施形態による指針計器であるコンビネーションメータ１では、第１実施形態と異なり、加飾リング３２は、図６と図７に示すように、第１前面３２ｃが透光性リング３１の前面３１ｃと同じ傾斜を有するように形成されている。
【００８０】
図７（ａ）に示すように、さらに、凸部３１ａの上面３１ｂを、透光性リング３１の前面３１ｃと異なる傾斜を有するように形成する。これにより、加飾リング３２の第１前面３２ｃは、凸部３１ａの上面３１ｂとのみ異なる傾斜を有し、この結果、表示意匠として視認性の優れた凸部３１ａが前面３１ｃに形成されたコンビネーションメータ１を提供することができる。
【００８１】
尚、図７（ｂ）に示す変形例では、凸部３１ａの上面３１ｂの代わりに外周溝３３の底面３３ａを、光性リング３１の前面３１ｃと異なる傾斜を有するように形成する。これにより、加飾リング３２の第１前面３２ｃが外周溝３３の底面３３ａとのみ異なる傾斜を有する。ように形成される。この結果、表示意匠として視認性の優れた凸部３１ａが前面３１ｃに形成されたコンビネーションメータ１を提供することができる。
【００８２】
この変形例では、透光性リング３１と加飾リング３２とを、同じ透明樹脂材料から一体的に形成し、例えば黒色で不透光性の加飾層３２ｅを、加飾リング３２に対応する部位の第１前面３２ｃに形成する。これによっても、表示意匠として視認性の優れた凸部３１ａが前面３１ｃに形成されたコンビネーションメータ１を提供することができる。
【００８３】
（第３実施形態）
図８は、本発明の第３実施形態による指針計器であるコンビネーションメータ１の正面図である。
【００８４】
図９（ａ）は、図８中のＩＸ−ＩＸ線断面における意匠リング３の拡大断面図であり、図９（ｂ）は、図９（ａ）の変形例を示す拡大断面図である。
【００８５】
本発明の第３実施形態による指針計器であるコンビネーションメータ１では、上述した実施形態と異なり、加飾リング３２が、図８と図９に示すように、凸部３１ａの全側面（全周囲）を外周溝３３を介して囲繞するように形成されている。
【００８６】
図９（ａ）に示す例では、加飾リング３２の第１前面３２ｃを、透光性リング３１の前面３１ｃと異なる傾斜を有するように形成し、凸部３１ａの上面３１ｂと外周溝３３の底面３３ａを、透光性リング３１の前面３１ｃと同じ傾斜を有するように形成する。これにより、加飾リング３２の第１前面３２ｃが凸部３１ａの上面３１ｂと外周溝３３の底面３３ａの両方と異なる傾斜を有するため、表示意匠として視認性の優れた凸部３１ａが前面３１ｃに形成されたコンビネーションメータ１を提供することができる。
【００８７】
図９（ｂ）に示す例では、図９（ａ）に示す例と異なり、加飾リング３２の第１前面３２ｃを、凸部３１ａの上面３１ｂと同じ傾斜を有するように形成する。これにより、加飾リング３２の第１前面３２ｃが外周溝３３の底面３３ａのみと異なる傾斜を有する。この結果、この例においても、表示意匠として視認性の優れた凸部３１ａが前面３１ｃに形成されたコンビネーションメータ１を提供することができる。
【００８８】
（第４実施形態）
図１０は、本発明の第４実施形態による指針計器であるコンビネーションメータ１の正面図である。
【００８９】
図１１は、図１０中のＸＩ−ＸＩ線断面における意匠リング３の拡大断面図である。
【００９０】
本発明の第４実施形態による指針計器であるコンビネーションメータ１では、上述した実施形態と異なり、図１０と図１１に示すように凸部３１ａを文字として形成する。本実施形態では、上述の凸目盛（図３中の符号３１ａ）の代わりに、第４表示層３２ｆを印刷等で加飾リング３２上に形成する。これによっても、表示意匠である文字として視認性の優れた凸部３１ａが前面３１ｃに形成されたコンビネーションメータ１を提供することができる。
【００９１】
尚、上述の実施形態や変形例では、コンビネーションメータ１が速度計を形成しているが、これに限る必要は無く、他の計器、例えば回転計等と置き換える、あるいは追加してもよい。
【００９２】
以上、本発明による計器用表示板の特徴は、表示意匠として凸部が前面に形成された意匠板と、意匠板の前面に配置されると共に意匠板を加飾する加飾部とを備え、加飾部が、凸部の側面の少なくとも一部を溝部を介して囲繞するように、且つ、その前面が、少なくとも凸部の近傍において凸部の上面と溝部の底面の少なくとも一方と異なる傾斜を有するように形成されていることである。この特徴を満足する限り、上述の例に限らないで、種々の変形例が考えられる。
【図面の簡単な説明】
【００９３】
【図１】図１は、本発明の第１実施形態による指針計器であるコンビネーションメータ１の正面図である。
【図２】図２は、図１中のＩＩ−ＩＩ線断面図である。
【図３】図３（ａ）は、図２中のＩＩＩ部における意匠リング３の拡大断面図であり、図３（ｂ）は、図２中のＩＩＩ部における基板２０の拡大断面図である。
【図４】図４は、本発明の第１実施形態によるコンビネーションメータ１の電気回路構成を説明する回路構成図である。
【図５】図５（ａ）は、図３（ａ）の第１変形例を示す拡大断面図であり、図５（ｂ）は、図３（ａ）の第２変形例を示す拡大断面図である。
【図６】図６は、本発明の第２実施形態による指針計器であるコンビネーションメータ１の正面図である。
【図７】図７（ａ）は、図６中のＶＩＩ−ＶＩＩ線断面における意匠リング３の拡大断面図であり、図７（ｂ）は、図７（ａ）の変形例を示す拡大断面図である。
【図８】図８は、本発明の第３実施形態による指針計器であるコンビネーションメータ１の正面図である。
【図９】図９（ａ）は、図９中のＩＸ−ＩＸ線断面における意匠リング３の拡大断面図であり、図９（ｂ）は、図９（ａ）の変形例を示す拡大断面図である。
【図１０】図１０は、本発明の第４実施形態による指針計器であるコンビネーションメータ１の正面図である。
【図１１】図１１は、図１０中のＸＩ−ＸＩ線断面における意匠リング３の拡大断面図である。
【符号の説明】
【００９４】
１  コンビネーションメータ（指針計器）、２  文字盤、２０  基板
２１  第１表示層、２２  背景層、２２ａ  開口部、２３  貫通孔
３  意匠リング、３１  透光性リング（意匠板）
３１ａ  凸部（目盛、文字）、３１ｂ  上面、３１ｃ  前面、３１ｄ  第２表示層（文字）
３２  加飾リング（加飾部）、３２ａ  第３表示層（補完目盛、表示意匠）
３２ｂ  嵌入部、３２ｃ  第１前面（前面）、３２ｄ  第２前面
３２ｅ  加飾層、３２ｆ  第４表示層（目盛、表示意匠）
３３  外周溝（溝部）、３３ａ  底面
４  指針、５  ムーブメント、５１  シャフト
６  発光ダイオード、７  発光ダイオード（光源）
８  支持部、４０  ケース、９  導光部材、１０  プリント基板、１１  制御装置
１２  速度センサ、１３  イグニッションスイッチ、１４  バッテリ
【図１】
0004462138.tif 000002
【図２】
0004462138.tif 000003
【図３】
0004462138.tif 000004
【図４】
0004462138.tif 000005
【図５】
0004462138.tif 000006
【図６】
0004462138.tif 000007
【図７】
0004462138.tif 000008
【図８】
0004462138.tif 000009
【図９】
0004462138.tif 000010
【図１０】
0004462138.tif 000011
【図１１】
0004462138.tif 000012